(57)【要約】
【課題】　構成が簡素で、コストが低く、自動化生産にされ易い飾りライトセットを提供することを課題とする。
【解決手段】　複数の発光体を、距離を開けて連続的に第１の導線上に電気的に搭載し、且つそれぞれを前記第１の導線と略平行している第２の導線と電気的に連接してから、透明材料からなる絶縁体により前記複数の発光体を密封してなることを特徴とする飾りライトセットを提供する。
【選択図】　図３
0003099867.tif 000002
【実用新案登録請求の範囲】
【請求項１】
　複数の発光体を、距離を開けて連続的に第１の導線上に電気的に搭載し、且つそれぞれを前記第１の導線と略平行している第２の導線と電気的に連接してから、透明材料からなる絶縁体により前記複数の発光体を密封してなることを特徴とする飾りライトセット。
【請求項２】
　前記発光体として、下から上へ第１の電極層と第２の電極層と金属層とを順番に積層してなる発光ダイオードチップを使用し、且つ、各発光ダイオードチップの前記第１の電極層の下面で前記第１の導線上に搭載し、前記第２の電極層上の前記金属層を前記第２の導線と連接していることを特徴とする請求項１に記載の飾りライトセット。
【請求項３】
　前記第１の電極層は、正極であり、前記第２の電極層は、負極であることを特徴とする請求項２に記載の飾りライトセット。
【請求項４】
　前記各発光ダイオードチップの前記第２の電極層上の金属層は、それぞれ第３の導線を介して前記第２の導線と連接していることを特徴とする請求項２に記載の飾りライトセット。
【請求項５】
　前記絶縁体は、複数あり、且つその数が前記複数の発光体の数と同数であり、
前記複数の発光体は、それぞれ前記複数の絶縁体の一つ内に密封されていることを特徴とする請求項１〜４のいずれかの一項に記載の飾りライトセット。
【請求項６】
　前記絶縁体は、複数あり、且つその数が前記複数の発光体の数の三分の一であり、
前記複数の発光体は、連続する３つずつが一つの絶縁体内に密封されていることを特徴とする請求項１〜４のいずれかの一項に記載の飾りライトセット。
【考案の詳細な説明】
【技術分野】
【０００１】
　本考案は、飾りライトセットに関し、特に壁や、ドア、クリスマスツリーなどを飾るための飾りライトセットに関する。
【背景技術】
【０００２】
　図１に示したのは、従来の、クリスマスなど祝日に使用されている飾りライトセット１である。該飾りライトセット１は、２つの略平行している第１の導線１１及び第２の導線１２上に、所定距離を開けて図２に示すような発光体としての複数の発光ダイオード（ＬＥＤ）２が連続的に設けられている。前記各発光ダイオード２の一対の端子２１，２２は、それぞれ前記第１の導線１１及び前記第２の導線１２と電気的に連接している。
【０００３】
　しかしながら、このような飾りライトセット１は、自動化生産されにくく、通常は人手で前記複数の発光ダイオード２を前記第１の導線１１と前記第２の導線１２と逐一に溶接しなければならないので、非常に手間が掛かり、コストが高いという欠点がある。
【考案の開示】
【考案が解決しようとする課題】
【０００４】
　上記に鑑みて、本考案は、構成が簡素で、コストが低く、自動化生産にされ易い飾りライトセットを提供することを課題とする。
【課題を解決するための手段】
【０００５】
　前記課題を達成するために、考案者は、複数の発光体を、距離を開けて連続的に第１の導線上に電気的に搭載し、且つそれぞれを前記第１の導線と略平行している第２の導線と電気的に連接してから、透明材料からなる絶縁体により前記複数の発光体を密封してなることを特徴とする飾りライトセットを提供する。
【０００６】
　この構成による飾りライトセットは、前記発光体を前記第１の導線上に搭載してから前記第２の導線と連接するため、構成が簡単であるのみならず、自動化され易いので、コストが低い。
【０００７】
　そして、前記発光体として、下から上へ第１の電極層と第２の電極層と金属層とを順番に積層してなり、且つ、各発光ダイオードチップの前記第１の電極層の下面で前記第１の導線上に搭載し、前記第２の電極層上の前記金属層を前記第２の導線と連接している発光ダイオードチップを使用することが好ましい。
【考案の効果】
【０００８】
　前記構成による飾りライトセットは、前記発光体として発光ダイオードチップを直接的に導線に付着させた後、絶縁体で密封してなるので、従来に使用した発光ダイオードより一対の端子がないので、材料コストが低減され、製造工程も簡素化できる。
【考案を実施するための最良の形態】
【０００９】
　以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【００１０】
　図３は、本考案の飾りライトセットの好ましい実施形態を示す斜視図である。図４は、前記実施形態における絶縁体がまだ設けられていない時の斜視図である。図示するように、該飾りライトセット３は、複数の発光体６を、距離を開けて連続的に第１の導線４上に電気的に搭載し、且つそれぞれを前記第１の導線４と略平行している第２の導線５と電気的に連接してから、透明材料からなる絶縁体７により前記複数の発光体６を密封してなる。
【００１１】
　もっと詳しく説明すると、本実施形態では、前記発光体６として、図５に示すように、下から上へ、第１の電極層としての正極層６１と第２の電極層としての負極層６２と金属層６３とを順番に積層してなる発光ダイオードチップを使用している。各発光ダイオードチップは、銀ペーストにより前記正極層６１の下面で前記第１の導線４上に搭載し、前記負極層６２上の前記金属層６３で第３の導線としての金属線６４を介して前記第２の導線５と連接している。
【００１２】
　そして、前記絶縁体７は、複数あり、且つその数が前記複数の発光体６の数と同数であり、前記複数の発光体６は、それぞれ前記複数の絶縁体７の一つ内に密封されている。
【００１３】
　前記構成によると、本考案の飾りライトセット３は、機械の自動化作業によって、前記第１の導線４、前記第２の導線５及び前記発光体６としての発光ダイオードチップをそれぞれ生産装置の所定の箇所に置いてから、前記発光ダイオードチップの搭載、前記第２の導線５と連接し、前記絶縁体７による密封などの作業を順次に行うことができるので、製造の手間を節約し、生産効率を高めることができる。
【００１４】
　即ち、この飾りライトセット３は、構成が簡単であるのみならず、自動化され易いので、コストが低い。
【００１５】
　また、前記構成による飾りライトセット３は、前記発光体６として発光ダイオードチップを直接的に導線４，５に付着させた後、絶縁体７で密封してなるので、従来に使用した発光ダイオードより一対の端子がないので、材料コストが低減され、製造工程も簡素化できる。
【００１６】
　図６は、本考案の飾りライトセットの他の実施形態を示す斜視図である。この実施形態の前記実施形態と異なる点は、前記絶縁体８は、複数あり、且つその数が前記複数の発光体数の三分の一であり、前記複数の発光体６は、連続する３つずつが一つの絶縁体８内に密封されている。
【産業上の利用可能性】
【００１７】
　本考案の飾りライトセットは、構成が簡単であるのみならず、自動化され易いので、製造工程が簡素化でき、コストが低い。
【００１８】
　以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１９】
【図１】従来の飾りライトセットの斜視図である。
【図２】従来の飾りライトセットの発光体として使用される発光ダイオードの斜視図である。
【図３】本考案の飾りライトセットの好ましい実施形態の斜視図である。
【図４】前記実施形態における絶縁体がまだ設けられていない時の斜視図である。
【図５】前記実施形態における発光体の一部拡大斜視図である。
【図６】本考案の飾りライトセットの他の実施形態の斜視図である。
【符号の説明】
【００２０】
　３　飾りライトセット
　４　第１の導線
　５　第２の導線
　６　発光体（発光ダイオードチップ）
　７，８　絶縁体
　６１　正極層（第１の電極層）
　６２　負極層（第２の電極層）
　６３　金属層
　６４　金属線（第３の導線）
【図１】
0003099867.tif 000003
【図２】
0003099867.tif 000004
【図３】
0003099867.tif 000005
【図４】
0003099867.tif 000006
【図５】
0003099867.tif 000007
【図６】
0003099867.tif 000008